(57)【要約】【課題】ＩＣカードの内容を見る専用のデバイスやリーダ／ライタを要せず、カード発行時に決められた表示項目以外の表示可能なＩＣカード等が望まれていた。【解決手段】ＩＣカードの所有者が、ＩＣカードにインストールされたアプリケーションを識別する場合に利用できる情報か、あるいは、該ＩＣカードにインストールされたアプリケーションを利用する場合に参考にできる情報のうち、少なくともいずれか情報を、該表示部に、文字、数字、記号、又は、図形のうち少なくともいずれか１以上を用いて表示することを特徴とするＩＣカードの表示方法等を提供する。【選択図】図１
2004102384.tif 000002
【特許請求の範囲】
【請求項１】
情報を表示する表示部を備えたＩＣカードの表示方法であって、
該ＩＣカードの所有者が、該ＩＣカードにインストールされたアプリケーションを識別する場合に利用できる情報か、あるいは、該ＩＣカードにインストールされたアプリケーションを利用する場合に参考にできる情報のうち、少なくともいずれかの情報を、該表示部に、文字、数字、記号、又は、図形のうち少なくともいずれか１以上を用いて表示することを特徴とするＩＣカードの表示方法。
【請求項２】
前記ＩＣカードの１枚に前記アプリケーションが２以上インストールされている場合に、該アプリケーションの２以上のそれぞれに関する前記少なくともいずれかの情報を、前記表示部に並べて表示することを特徴とする請求項１に記載のＩＣカードの表示方法。
【請求項３】
前記表示部に前記情報を表示する制御を行う表示部制御手段としては、該表示部が備わっている前記ＩＣカードが有している表示部制御手段を使用することを特徴とする請求項１又は２のいずれかに記載のＩＣカードの表示方法。
【請求項４】
前記表示部に前記情報を表示する制御を行う表示部制御手段としては、該表示部が備わっている前記ＩＣカードの外にある表示部制御手段を使用することを特徴とする請求項１又は２のいずれかに記載のＩＣカードの表示方法。
【請求項５】
前記表示部としては、前記情報を表示するための該情報の書込みに要したエネルギーが無くなった後も前記情報を表示し続ける、不揮発性の情報表示技術を使用することを特徴とする請求項１乃至４のいずれかに記載のＩＣカードの表示方法。
【請求項６】
前記表示部は、マイクロカプセル型電気泳動方式を用いた表示を行うことを特徴とする請求項１乃至５のいずれかに記載のＩＣカードの表示方法。
【請求項７】
情報を表示する表示部を備えたＩＣカードであって、
該表示部は、
該ＩＣカードの所有者が、該ＩＣカードにインストールされたアプリケーションを識別する場合に利用できる情報か、あるいは、該ＩＣカードにインストールされたアプリケーションを利用する場合に参考にできる情報のうち、少なくともいずれか情報を、文字、数字、記号、又は、図形のうち少なくともいずれか１以上を用いて表示すること、
を特徴とするＩＣカード。
【請求項８】
前記ＩＣカードの１枚に前記アプリケーションが２以上インストールされている場合に、該アプリケーションの２以上のそれぞれに関する前記少なくともいずれかの情報を、前記表示部に並べて表示すること、
を特徴とする請求項７に記載のＩＣカード。
【請求項９】
前記表示部に前記情報を表示する制御を行う表示部制御手段が、該表示部が備わっているそのＩＣカードに備わっていること、
を特徴とする請求項７又は８のいずれかに記載のＩＣカード。
【請求項１０】
前記表示部に前記情報を表示する制御を行う表示部制御手段が、該表示部が備わっているそのＩＣカードに備わっていないこと、
を特徴とする請求項７又は８のいずれかに記載のＩＣカード。
【請求項１１】
前記表示部が、前記情報を表示するための該情報の書込みに要したエネルギが無くなった後も前記情報を表示し続ける、不揮発性の情報表示技術を使用していること、
を特徴とする請求項７乃至１０のいずれかに記載のＩＣカード。
【請求項１２】
前記表示部が、マイクロカプセル型電気泳動方式を用いた表示を行うことを特徴とする請求項７乃至１１のいずれかに記載のＩＣカード。
【請求項１３】
請求項７乃至１２のいずれかに記載のＩＣカード、及び、
前記ＩＣカードの外にあって、前記表示部を制御して前記情報の表示を行う表示部制御手段を備えたこと、
を特徴とするＩＣカードの表示システム。
【発明の詳細な説明】
【０００１】
【発明の属する技術分野】
本発明は、カード表面への表示機能をもつマルチアプリケーションＩＣカードと、表面に表示する文字や画像の制御を行い、カード内部の情報をカード表面に可視化するために利用するＩＣカードの表示方法とＩＣカード及びＩＣカード表示システムに関するものである。
【０００２】
【従来の技術】
ＩＣカードは磁気カード等に比べて大量のデータを記憶できるメモリを搭載しているので、１枚のカードで多くの情報を格納することができる。また、マイクロコンピュータによりデータ管理を行うのでセキュリティ性が高いという特徴を有する。このため社員証、定期券、キャッシュカード、クレジットカードなど様々な分野で利用されるようになってきている
しかしながら、メモリ内のデータは電子的な情報なので、この内容を知るには一旦ＩＣカードの内容をリーダライタ等の読取装置から読み取り、ディスプレイに表示たり紙に出力するなどの処理を行わなければならない。
【０００３】
このような問題点を解決するために、例えば特開平７−６８９７８号に開示されるようなＩＣカードが提案されている。これは、ＩＣカードの表面に画像を書き換え可能なリライト層を設けたものである。このリライト層には、所望のデータを可視情報としてカード表面に表示することが可能であり、しかも必要に応じて何度でも表示データを書き換えることが可能である。このようなＩＣカードであれば、有効期限や利用可能残金の表示などのＩＣカード内の必要なデータを可視情報として表示できるので極めて便利である。
【０００４】
【発明が解決しようとする課題】
ＩＣカードのチップ内に記録された情報はセキュリティーが高い反面、その内容を見るには専用のデバイスが必要であった。また、カード表面に情報を表示する際には、印字機能を持ったカードリーダ／ライタによってカード表面に印字する処理が必要であった。また、表示内容はカード発行時に決められた表示項目に限定されるものでカード発行後に表示項目を変更することは困難であった。
【０００５】
【課題を解決するための手段】
上記の課題は以下の発明により解決できる。
【０００６】
請求項１記載の発明においては、
情報を表示する表示部を備えたＩＣカードの表示方法であって、
該ＩＣカードの所有者が、該ＩＣカードにインストールされたアプリケーションを識別する場合に利用できる情報か、あるいは、該ＩＣカードにインストールされたアプリケーションを利用する場合に参考にできる情報のうち、少なくともいずれかの情報を、
該表示部に、文字、数字、記号、又は、図形のうち少なくともいずれか１以上を用いて表示することを特徴とするＩＣカードの表示方法を提供することにより解決できる。
【０００７】
該ＩＣカードにインストールされたアプリケーションを利用する場合に参考にできる情報としては、現在利用できるポイントやマイルの類の様に、ＩＣカード内に記憶されるとともに、変化する各種情報を利用することが可能である。その他の例としては、広告やクーポンなどがある。他方、該ＩＣカードにインストールされたアプリケーションを利用する場合としては、クレジットカード、会員証などがある。
【０００８】
請求項２記載の発明においては、
前記ＩＣカードの１枚に前記アプリケーションが２以上インストールされている場合に、該アプリケーションの２以上のそれぞれに関する前記少なくともいずれかの情報を、前記表示部に並べて表示することを特徴とする請求項１に記載のＩＣカードの表示方法を提供することにより解決できる。
【０００９】
このＩＣカード上の表示部は、複数に分かれた表示部を備える場合と、連続した１つの表示部を備える場合が考えられる。例えば、前者は表示部単位で異なるアプリケーションを表示するように使用し、また、後者なら、アプリケーション別に、表示画面上との表示領域が相違するように表示する。
【００１０】
請求項３記載の発明においては、
前記表示部に前記情報を表示する制御を行う表示部制御手段としては、該表示部が備わっている前記ＩＣカードが有している表示部制御手段を使用することを特徴とする請求項１又は２のいずれかに記載のＩＣカードの表示方法を提供することにより解決できる。
【００１１】
請求項４記載の発明においては、
前記表示部に前記情報を表示する制御を行う表示部制御手段としては、該表示部が備わっている前記ＩＣカードの外にある表示部制御手段を使用することを特徴とする請求項１又は２のいずれかに記載のＩＣカードの表示方法を提供することにより解決できる。
【００１２】
表示部制御手段を設けておく代表例は、ＩＣカードのデータ読書き装置に備えられた表示部制御手段であって、接触式ＩＣカードなら端子を介して制御し、非接触ＩＣカードならコイル又はアンテナを介して制御する。
【００１３】
請求項５記載の発明においては、
前記表示部としては、前記情報を表示するための該情報の書込みに要したエネルギーが無くなった後も前記情報を表示し続ける、不揮発性の情報表示技術を使用することを特徴とする請求項１乃至４のいずれかに記載のＩＣカードの表示方法を提供することにより解決できる。
【００１４】
請求項６記載の発明においては、
前記表示部は、マイクロカプセル型電気泳動方式を用いた表示を行うことを特徴とする請求項１乃至５のいずれかに記載のＩＣカードの表示方法を提供することにより解決できる。
【００１５】
使用するエネルギーが電気エネルギーの場合は、ＩＣカードが電池内臓型ＩＣカードや太陽電池付ＩＣカードであれば、その電池から電力供給を受けてもよい。
【００１６】
一方、そのような電池を持たないＩＣカードの場合は、例えば、もし接触型ＩＣカードであれば、ＩＣチップの接触端子を介して外部から、また、もし非接触式ＩＣカードであれば、アンテナ又はコイルを介して外部から、それぞれ電力供給を受けてよい。
【００１７】
あるいは、もし表示に使用するエネルギーが熱エネルギーの場合は、外部の書込み手段から熱の供給を受ければよい。
【００１８】
請求項７記載の発明においては、
情報を表示する表示部を備えたＩＣカードであって、
該表示部は、
該ＩＣカードの所有者が、該ＩＣカードにインストールされたアプリケーションを識別する場合に利用できる情報か、あるいは、該ＩＣカードにインストールされたアプリケーションを利用する場合に参考にできる情報のうち、少なくともいずれかの情報を、文字、数字、記号、又は、図形のうち少なくともいずれか１以上を用いて表示すること、
を特徴とするＩＣカードを提供することにより解決できる。
【００１９】
請求項８記載の発明においては、
前記ＩＣカードの１枚に前記アプリケーションが２以上インストールされている場合に、該アプリケーションの２以上のそれぞれに関する前記少なくともいずれかの情報を、前記表示部に並べて表示すること、
を特徴とする請求項７に記載のＩＣカードを提供することにより解決できる。
【００２０】
請求項９記載の発明においては、
前記表示部に前記情報を表示する制御を行う表示部制御手段が、該表示部が備わっているそのＩＣカードに備わっていること、
を特徴とする請求項７又は８のいずれかに記載のＩＣカードを提供することにより解決できる。
【００２１】
請求項１０記載の発明においては、
前記表示部に前記情報を表示する制御を行う表示部制御手段が、該表示部が備わっているそのＩＣカードに備わっていないこと、
を特徴とする請求項７又は８のいずれかに記載のＩＣカードを提供することにより解決できる。
【００２２】
請求項１１記載の発明においては、
前記表示部が、前記情報を表示するための該情報の書込みに要したエネルギーが無くなった後も前記情報を表示し続ける、不揮発性の情報表示技術を使用していること、
を特徴とする請求項７乃至１０のいずれかに記載のＩＣカードを提供することにより解決できる。
【００２３】
請求項１２記載の発明においては、
前記表示部が、マイクロカプセル型電気泳動方式を用いた表示を行うことを特徴とする請求項７乃至１１のいずれかに記載のＩＣカードを提供することにより解決できる。
【００２４】
請求項１３記載の発明においては、
請求項７乃至１２のいずれかに記載のＩＣカード、及び、
前記ＩＣカードの外にあって、前記表示部を制御して前記情報の表示を行う表示部制御手段を備えたこと、
を特徴とするＩＣカードの表示システムを提供することにより解決できる。
【００２５】
【発明の実施の形態】
以下、本発明の実施の形態を、図面を参照して詳細に説明する。
【００２６】
（１）カードの基本構成
図１は、本実施例のＩＣカードの構成を示すブロック図である。
【００２７】
本実施例のＩＣカードは、少なくともマイクロコンピュータとメモリとからなるＩＣカードであり、カード本体１内にＲＯＭ２及びＲＡＭ３を内蔵するＣＰＵ４（マイクロコンピュータ）、情報を格納するメモリ５、ＣＰＵ４又はメモリ５の内容を表示するディスプレイ６、ディスプレイを駆動するドライバ７、外部接続用の接続端子８を有する構成となっている。
【００２８】
ＩＣカードに対しては、外部接続用の接続端子８に電源電圧（Ｖｐｐ，Ｖｃｃ）、接地電圧（ＧＮＤ）が供給され（非接触型ＩＣカードの場合は後述するようなアンテナを通じて電源を供給する）、また制御信号としてリセット信号（ＲＳＴ）、入力信号（Ｉ／Ｏ）、クロック信号（ＣＬＫ）が入出力されて、ＣＰＵ４、メモリ５、ディスプレイ６およびドライバ７に対し必要に応じて供給される。
【００２９】
また、ＩＣカードの内部では、ＣＰＵ４とメモリ５がコントロールバスを通じて接続され、ＣＰＵ４による制御のもと、メモリ５の所定のアドレスに所望のデータが格納され、メモリ５に格納されたデータおよびＣＰＵ４の内容は外部からの電力の供給により、ドライバ７の制御に基づきディスプレイ６に表示可能になっている。
【００３０】
以上のように構成されるＩＣカード１は、例えば図２のような概観をしておりＣＰＵ４、メモリ５及びドライバ７はＩＣモジュール９としてまとめられて図中左側中央に配置され、またディスプレイ６は右側に、複数の表示領域６ａ、６ｂ、６ｃに分かれて配置されている。
【００３１】
この場合、ＩＣカードにインストールされたアプリケーションを識別する場合に利用できる情報や、ＩＣカードにインストールされたアプリケーションを利用する場合に参考にできる情報などを、アプリケーション毎に表示領域を対応させて表示する。
【００３２】
また、図１１の様にディスプレイ６としては一つの画像領域をなし、図１２の様に表示時に複数の表示領域６ｍ、６ｎ、６ｐ、６ｑに分かれて、ＩＣカードにインストールされたアプリケーションを識別する場合に利用できる情報や、ＩＣカードにインストールされたアプリケーションを利用する場合に参考にできる情報などを、複数のアプリケーションに対応して表示させる構成も可能である。
【００３３】
なお、必要に応じて磁気ストライプやエンボス文字領域を設けるようにすることも可能である。この場合の磁気ストライプには、ＩＣカード所有者の特定の情報が記憶され、エンボス文字領域にはユーザーの氏名やカード番号等がエンボス加工による凹凸で刻印されているなどの構成が可能である。
【００３４】
このＩＣカード１の寸法は、ＩＳＯ規格に準拠するものであり、従来のＩＣカードと同様に使用可能である。
【００３５】
ＩＣカード１は、各種情報処理装置の挿抜可能な補助記録媒体として使用され、図３に示すようにＩＣカードスロット２１を備えるリーダライタ２２とこれに接続されるコンピュータ２３とによって情報の入出力を行うものである。
【００３６】
ディスプレイ６に画像を表示制御プログラムにより表示させた後、表示を継続して行なうには外部から連続的に電力を供給する必要があるが、後述するような電気泳動式ディスプレイを採用した場合には画像のメモリー効果があるので、電力の供給がなくなってもディスプレイ６に継続して画像を表示させることができる。
【００３７】
（２）接触式、非接触式カードへの応用
ＩＣカードは、データの読取り及び書込みの方式により接触式と非接触式とに大別される。ここで、接触式とは、ＩＣカード表面に設けた外部接続端子にプローブ等を接触させることでデータ信号を伝達する方式をいう。一方、非接触式とは、ＩＣカード１内に埋設されたアンテナにより無線信号を交信する方式をいう。本発明のＩＣカード１は、どちらの方式も採用することができる。
【００３８】
図４に示すように、接触式ＩＣカードの場合は、ＩＣカード１への電力供給は、外部のリーダライタ等から接続端子３１を介して行われる。一方、図５に示すように非接触式のＩＣカードの場合は、外部アンテナ３２からＩＣカード１内のコイルアンテナ３３にデータと共に供給される。データはＲＦ回路３４で復調され、必要に応じてドライバ７を通じてディスプレイ６に表示される。このように、ＩＣカード１内のデータを、外部機器を用いることなくディスプレイ６に表示させることができる。
【００３９】
（３）カードの製造方法
非接触式のＩＣカードの製造方法として、例えば熱可塑性樹脂を用いた射出成型法によりＩＣユニットを包みこんでカード形状とする方法と、射出成型を行うか切削加工等を施してＩＣユニット装着個所を設けた第一、第二の樹脂板を形成し、その内部にＩＣユニットを装着したのち、第一、第二の樹脂板を接着して一体化する方法などがある。
【００４０】
後者の方法においては、第一、第二の樹脂板には熱可塑性樹脂と、熱硬化性樹脂のどちらを使用しても良い。
【００４１】
熱可塑性樹脂としては塩化ビニル樹脂、ポリスチレン樹脂、ＡＢＳ樹脂（アクリルニトリルブタジエンスチレン共重合樹脂）、ＳＡＮ樹脂（アクリルニトリルスチレン共重合樹脂）、アクリル樹脂、ポリサルホン樹脂、ポリカーボネート樹脂、ポリエチレン樹脂、ポリプロピレン樹脂、ポリアミド樹脂、ポリアセタール樹脂、フッ素樹脂、ポリエステル樹脂等が挙げられる。
【００４２】
また、熱硬化性樹脂としてはフェノール樹脂、ユリア樹脂、メラミン樹脂、ポリエステル樹脂、エポキシ樹脂、ポリレタン樹脂、キシレン樹脂、シリコール樹脂等が挙げられる。
【００４３】
前記第一、第二の樹脂板の少なくとも一方に、ＩＣユニット（ＩＣモジュール）を装着するための凹部を形成し、この凹部にＩＣユニットを装着する。
【００４４】
ついで、前記第一、第二の樹脂板の合わせ面を接着し、一体化して製品である非接触ＩＣカードとする。
【００４５】
（４）表示部の構成１
表示部は柔軟性を保持でき、かつバックライトが無くても十分なコントラストを有するものを好適に使用できる。これは柔軟性を有する薄い基板上に、エレクトロルミネセンス材料、ポリマー分散型液晶（ＰＤＬＣ）、ポリマー安定型液晶、スメクティック液晶、強誘電性液晶、マイクロカプセル型電気泳動方式を用いた表示体等を組合せることで実現できる。特に、マイクロカプセル型電気泳動方式を用いた表示体を用いると、従来の紙に近い画像の表示が可能となる。
【００４６】
（５）表示部の構成２
ディスプレイ６にフィルム式のマイクロカプセル型電気泳動方式のディスプレイ１１を用いる場合について詳細に説明する。
【００４７】
図６にディスプレイ１１の断面図を示す。紙、プラスチック等の可撓性を有する基材１１ｅ上に、電極フィルム１１ｄ、画像表示層１１ｃ、電極フィルム１１ｂ及びこの表示部を保護する表面保護層１１ａが積層されている。なお、表面保護層１１ａは省略することも可能である。
【００４８】
電極フィルム１１ｂはポリエチレンテレフタレート（ＰＥＴ）、ポリエチレンナフタレート（ＰＥＮ）、ポリイミド等の寸法安定性の優れた透明なプラスチックフィルムに電極が形成されているものである。電極フィルム１１ｄも同様な基材の電極が形成されてなるものであるが、必ずしも透明性は要求されない。
【００４９】
電極の方式は任意のものを選択可能であるが、下記のようなマイクロカプセル型電気泳動方式を用いる場合は、電極フィルム１１ｂは全面に同一の電位がかかる共通電極とし、電極フィルム１１ｄにはアクティブマトリックス電極、セグメント電極等による電極を採用することができる。
【００５０】
画像表示層１１ｃにマイクロカプセル型電気泳動方式に用いた場合の構成について説明する。
【００５１】
マイクロカプセル１１０の一例を図７に示す。マイクロカプセル１１０は、メタクリル酸樹脂、ユリア樹脂、アラビアゴム等をカプセル殻１１１とし、内部には酸化チタンからなる白の粒子１１３とカーボンブラックからなる黒の粒子１１４が、シリコーンオイル等の粘性の高い分散媒１１２で分散され封入されている。白の粒子である酸化チタンは正電荷を帯びており、一方黒の粒子であるカーボンブラックは負電荷を帯びている。
【００５２】
このため、図８（ｂ）に示すように、二つの電極フィルム１１ｂ、１１ｄに電界を印加して、電極フィルム１１ｂが負極、電極フィルム１１ｄが正極になった場合、正に帯電した白の粒子１１３が電極フィルム１１ｂ側に引かれ、黒の粒子１１４が電極フィルム１１ｄ側に引かれるので、少なくとも電極フィルム１１ｂを透明電極としておき、電極フィルム１１ｂ側の上方から観察するとその部分が白く見える。
【００５３】
逆に電極フィルム１１ｂが正極、電極フィルム１１ｄが負極になった場合、正に帯電した白の粒子１１３が電極フィルム１１ｄ側に引かれ、黒の粒子１１４が電極フィルム１１ｂ側に引かれるので、電極フィルム１１ｂの上方から観察するとその部分が黒く見える。
【００５４】
画像表示層１１ｃは、このようなマイクロカプセル１１０を多数有しており、電極フィルム１１ｂ、１１ｄの各アドレス電極の電界を制御することで、図８（ａ）で「Ａ」という文字を黒で表示したように、所望の文字や図形を白と黒の画素で表示させることができる。
【００５５】
上記の例に於いては、マイクロカプセルは白黒の２種類の粒子を含有させたモノクロ（白黒）の表示であるが、粒子の位置を電位のかけ方で多段階に調整することで中間調の表示を行うこと、異なる色の粒子を含有させてカラー表示させる或いは２種類以上の粒子を含有させることなども可能である。
【００５６】
また、上記のマイクロカプセルでは白黒の２種類の粒子を含有させているが、１種類の粒子を用い、分散媒を黒に着色させることでもモノクロ（白黒）表示を実現することができる。
【００５７】
すなわち、図９に示すように白の粒子である酸化チタンを正電荷に帯電させ、黒に着色した分散媒１１５に分散させたマイクロカプセルを用い、二つの電極フィルム１１ｂ、１１ｄに電界を印加して、電極フィルム１１ｂが負極、電極フィルム１１ｄが正極になった場合、正に帯電した白の粒子１１３が電極フィルム１１ｂ側に引かれ、黒に着色した分散媒１１５は必然的に１１ｄの電極フィルム側に押し下げられるので、電極フィルム１１ｂ側の上方から観察するとその部分が白く見える。逆に、電極フィルム１１ｂが正極、電極フィルム１１ｄが負極になった場合、正に帯電した白の粒子１１３が電極フィルム１１ｄ側に引かれ、黒に着色した分散媒１１５は必然的に電極フィルム１１ｂ側に押し上げられるので、電極フィルム１１ｂ側の上方から観察するとその部分が黒に見える。
【００５８】
マイクロカプセルをアクティブマトリックス駆動法で駆動する場合は、電極フィルム１１ｄは画素電極として画素毎に独立してパターニングされ、図示しない薄膜トランジスタ、信号電極、および走査電極を併設し、電極フィルム１１ｂは光透過性基材上に一様に形成された透明な共通電極とする。この場合、電極フィルム１１ｂを共通電極にすると全面同一電位になるので（例えば電位をゼロとする）、電極フィルム１１ｄ側の各アドレス電極の電界を制御（正または負の電位を与える）することで、上記の原理に基づき電極位置のマイクロカプセル内の粒子を移動させ、所望の画像を表示させることができる。
【００５９】
同様に、電極フィルム１１ｄを共通電極とし、電極フィルム１１ｂ側の各アドレス電極の電界を制御することで、電極位置のマイクロカプセル内の粒子を移動させることで所望の画像を表示させるようにしてもよい。
【００６０】
時分割駆動の場合は、電極フィルム１１ｂ、１１ｄは互いに直交するライン状のＩＴＯ（Ｉｎｄｉｕｍ　Ｔｉｎ　Ｏｘｉｄｅ：インジウムスズ）等の透明導電体からなる透明電極により構成され、両電極の交わる領域にマイクロカプセルを形成する。
【００６１】
もちろん、駆動方式は上述したものに限定されず、用途に応じて最適なものを選択すればよい。
【００６２】
マイクロカプセルの径は、種々のものを採用することが可能だが、約４０μｍ〜約１００μｍのものを採用すると十分な解像度と応答性を得ることができる。表示画像の解像度は主として電極フィルム中の電極の配置（解像度）に依存するが、マイクロカプセルの径が小さければ分散媒中のマイクロカプセルの移動速度が速くなり、結果として表示の際の応答性に優れる（応答速度が速い）というメリットがある。
【００６３】
上記の例では、モノクロ（白黒）の画像表示の例であるが、カラー画像表示の場合には図１０に示すように画素単位に分割されたＲ（赤），Ｇ（緑），Ｂ（青）の色を有するカラーフィルタ１１ｆを画素単位で電界を印加することができる透明な電極フィルム１１ｂ側に設けることで実現できる。
【００６４】
すなわち、白い粒子が電極フィルム１１ｂ側に引かれている部分の観察光は白粒子で反射されカラーフィルタを通過してくるので、カラーフィルタの色が観察されることになる。
【００６５】
図１０の例では、カラーフィルタのＲ画素部及びＧ画素部は白い粒子が電極フィルム１１ｂの透明電極側に引かれているのでＲ光及びＧ光が観察され、カラーフィルタのＢ画素部は黒い粒子が電極フィルム１１ｂの透明電極側に引かれているので観察光は吸収されＢ光は観察されない。このように、画素単位で観察されるＲ，Ｇ，Ｂ光を制御することでカラー画像表示が可能となる。なお、図１０では電極１１ｄを共通電極としているが、電極１１ｂ側を共通電極としても良い。
【００６６】
ペーパー状電子ディスプレイは可撓性を有する材料で作製され、電極等のパターニングも印刷法、蒸着法でプラスチックフィルムに形成することが可能である。表示画面サイズも、用途、要望に応じて任意のサイズのものを作成することができる。また、フィルムを用いて作製されているため嵩張らず軽い表示媒体であり、本発明の表示媒体として好適に用いることが可能である。
【００６７】
画像表示層１１ｃにおいては、マイクロカプセル１１０の位置配置は多少の変動があっても表示に問題は生じない。従って、折り曲げて使用したり、曲面の箇所に取付けて使用することなども可能である。
【００６８】
この点、例えば液晶表示装置（ＬＣＤ）は、画像表示層以外に強度を保つためのガラス板、偏光板や位相差板（フィルム）等が必要であるが、本実施の形態のようなペーパー状電子ディスプレイであれば、画像表示層とフィルムによる電極のみで良いので、非常に薄く、軽いディスプレイを得ることができる。
【００６９】
各粒子は粘性の高い分散媒に分散されており、一度電界を印加した後は電源が切断されても粒子の位置が変化しない。このように、ディスプレイの電源を切っても表示画像が消えない不揮発性（メモリー性）を有するので、初期の表示や書き換え時のみ電界を印加すればよく、通常の表示装置に比べて表示に必要な電力も少なくてすみ、大幅な省電力化が可能である。
【００７０】
さらに、ディスプレイ１１内においては、マイクロカプセル１１０の位置配置は多少の変動があっても表示に問題は生じない。したがって電極シート１１ｂ、１１ｄを含め、ディスプレイ１１全体を薄く可撓性を持たせる材料を用いることで、紙のような柔軟性を持たせることができる。
【００７１】
また、黒い粒子１１４のカーボンブラックは、通常の印刷を行うインクと同じ材料であるので、極めて紙の印刷物に近い自然な表示を行うことが可能となる。
【００７２】
液晶表示装置における表示媒体自身は薄いもので約５μｍに対し、電気泳動型ディスプレイは現在数十約μｍ（４０μｍ〜７０μｍ程度）厚いものである。しかし、表示媒体を保護ずる保護層としてのガラスは薄いものでも５００とか３００μｍであり、これを対で使うので、結構な厚みになってしまう。さらに偏光板や位相差板（フィルム）が必要であるが、これらも２００μｍ〜３００μｍ程度の厚みを有する。さらにＴＦＴ等の電極が必要であるため、液晶表示装置で光学特性を出すために、これらの層を含めてかなりの厚みが必要なる。したがって、ＩＳＯ規格を満たすＩＣカードを作成するのは困難である。
【００７３】
一方、電気泳動式のディスプレイならば、ガラス等の保護層等も不要であり、全体をフィルム構成とすることで、容易に１ｍｍ以内とすることが可能であるため、ＩＣカードに好適に用いることができる。
【００７４】
（６）表示の制御等
本実施形態の作用について説明する。ＩＣカード１の電源を、外部のＩＣカードリーダライタから供給し、この電源の供給によってディスプレイ６への表示を行う。このディスプレイ６の表示は、表示制御プログラムによりドライバ７を通して行い、例えばＣＰＵ４またはメモリ５のデータを他の外部機器、例えばパソコンやＯＡ機器に伝送する前にディスプレイ６に表示させるものである。
【００７５】
このディスプレイ６には様々な使用方法がある。例えば、ＩＣカード１は従来の磁気カード等に比べて大量のデータを記憶することができるものであるが、それでもアプリケーションの多様化に伴い個人の所有するＩＣカードの枚数も増加することが想定される。その場合に、ＩＣカードの情報内容を示す索引情報を表示させてインデックスの代わりにすることなどが考えられる。これにより、従来のように特定の人のみによる設定内容の変更、設定内容の確認などの問題を解決し、ユーザーがＩＣカード１の内容を容易に確認することができる。また、これにより、誤ったデータをコンピュータやＯＡ機器に送るといったミスを防ぐことができる。
【００７６】
本実施形態のＩＣカード１は、ディスプレイ６に不揮発性を有するマイクロカプセル型電気泳動式ディスプレイを採用しているため、電力の供給が無くなってもそのまま表示画像が残存する。したがって、リーダライタ等からＩＣカード１を離しても、表示が視覚的に確認できる。また、ディスプレイ６のデータ書換えの際にのみ電力を供給すれば良いので、電力の消費が少なくてすむものである。また、これまでの表示装置に比べて軽量かつ薄くすることができるので持ち運びも容易であり、柔軟性を有することから折り曲げに対しても耐久性があり、通常のＩＣカード同様に扱うことができる。
【００７７】
なお、ディスプレイ６の表示は内部的な処理以外に、外部からマイクロカプセル内の粒子をコントロールする電界を印加することでも画像の表示、書き換えを行うことが可能である。
【００７８】
（７）使用方法
カード発行時に、表示制御を行う表示制御プログラムを入れておく。この表示制御プログラムはカード内部でディスプレイの表示機構の制御を行うもので、ＩＣカードにインストールした他のアプリケーションから利用できるアプリケーションプログラミングインターフェース（以下ＡＰＩと略す）を有する。
【００７９】
ＩＣカードのアプリケーション開発者は、このＡＰＩに従ってアプリケーションを作成することにより、カード表面の表示制御機能を利用することができる。この機能を利用するアプリケーションはカード発行時にあらかじめインストールしてあってもよいし、カード発行後にインストールしてもよい。
【００８０】
カード発行後にインストールする場合で示せば、図１３に示す様に、カード発行後に、カードリーダ／ライタに挿すまたはかざすことにより、必要に応じてアプリケーションインストール、アプリケーション実行、場合によりその両方が行われる。その結果、カード内部データ変更され、表示データが書き換えられ、最後にカートリーダ／ライタから抜く。ここで、カード利用者が表示情報確認を行い、必要に応じて再びカードリーダ／ライタに挿すまたはかざすこともある。
【００８１】
この様にＩＣカードリーダ／ライタによりアプリケーションがインストールされると、図１４に示す様に、ＩＣカードＯＳがＡＰＩを通じて各アプリケーションを働かせる。また、一部の表示を必要とするアプリケーションの場合は、このＡＰＩによって表示制御プログラムが働き、ディスプレイドライバを介して表示される。
【００８２】
アプリケーションをカードにインストールする際には、表示制御プログラムに対して、アプリケーションが要求するカード上の表示領域の確保処理を行う。表示領域が確保できない場合、アプリケーションのインストール全体を失敗とするか、もしくは表示機能のみ使用不可の状態でアプリケーションをインストールする。
【００８３】
カード上のディスプレイにおける表示内容の変更は、例えばカード利用時にＩＣチップに供給される電力を利用して表示制御プログラムが行う。この場合、カードリーダ／ライタには印字機能が必要なく、非接触ＩＣカードであっても利用可能である。
【００８４】
例えば、図１５に示す様に、ＩＣカードリーダ／ライタにより電源供給がＩＣカードに行われるとともに、アプリケーション起動コマンドがアプリケーションプロトコルデータユニット（略称ＡＰＤＵ）通信により送信され、ＩＣカード内でアプリケーションが実行され、表示命令がだされる。この表示命令は、ＡＰＩを利用して表示制御プログラムのドライバプログラムが起動され、ディスプレイドライバにより回路への電力供給されて、表示内容が変更される。
【００８５】
この表示内容が変更されると、表示制御プログラムの表示内容変更処理が終了され、アプリケーション実行終了レスポンスが発生し、ＩＣカードリーダ／ライタにＡＰＤＵ通信する。
【００８６】
ＩＣカードリーダ／ライタでアプリケーション実行終了レスポンスを受信した場合、電源供給を終了させる。なお、この様に電源供給を終了させても、この例によるディスプレイは不揮発性であるのでその変更した表示は維持される。
【００８７】
（８）具体的な使用例
以下、具体的使用方法を図１６を用いて説明する。
【００８８】
まず、カード製造者４１により、ディスプレイによる表示機能と表示制御プログラムを含むマルチアプリケーションＩＣカード１を製造５１されているものとする。
【００８９】
クレジットカードのアプリケーション作成者は、ポイントの値をカード内に保持するクレジットカードのアフリケーションにおいて、表示制御機能を利用したポイント表示プログラムをあらかじめ作成する。
【００９０】
クレジットカード会社もしくはカード利用者がこのアプリケーションをカード上にインストール５２し、実行する。
【００９１】
これによって、ＩＣカード１表面にポイントが表示４６され、クレジット会社４２からカード利用者４３に貸与される。
【００９２】
カード利用者４３が、ＩＣカード１を用いて買い物を行い、決済時にカードリーダ／ライタ２２に通したとき、カード表面に表示されているポイントはＩＣカード１内の新しいポイントの値をもとに書き換えられる。このポイントの値は、必ずしもＩＣカード１内部の情報を用いる必要はなく、クレジットカード会社４２のサーバーアプリケーションと通信した結果得られた値をカードリーダ／ライタ２２からＩＣカード１に送信し、その値を用いても良い。これにより、利用者は常に現在のポイントの値をＩＣカード１単体で確認することができる。
【００９３】
このとき、店舗等で他用するカードリーダ／ライタ４２には、ＩＣカード１上のアプリケーションを利用するための一般的な機能（電源供給とアプリケーション操作コマンドの発行）があればよく、印字機能は必要としない。
【００９４】
【発明の効果】
本願発明により、ＩＣカード内部の情報を、カード単体で確認することができる。
【００９５】
また、表示方法に電子ペーパーを用いることにより、情報の書き換えを行う場合にカードリーダ／ライタに印字機能を必要としない。
【００９６】
さらに、インストールしたカード内部のアプリケーションから表示内容を制御することができる。このため、カード発行時に表示内容を決める必要がなく、多目的な表示機能付きマルチアプリケーションＩＣカードとして発行することができる。
【００９７】
最後に、カードの通信形態は接触・非接触の両方に対応できる。
【図面の簡単な説明】
【図１】本発明の一実施形態におけるＩＣカードの構成を示す機能ブロック図である。
【図２】本発明の一実施形態におけるＩＣカードの外観（表示面側）を示す説明図である。
【図３】本発明の一実施形態におけるＩＣカードシステムを示す説明図である。
【図４】本発明の一実施形態における接触型ＩＣカードの説明図である。
【図５】本発明の一実施形態における非接触型ＩＣカードの説明図である。
【図６】本発明の一実施形態におけるディスプレイを示す説明図である。
【図７】本発明の一実施形態におけるマイクロカプセルを示す説明図である。
【図８】本発明の一実施形態におけるディスプレイの動作を示す説明図である。
【図９】本発明の一実施形態におけるディスプレイの動作を示す説明図である。
【図１０】本発明の一実施形態におけるディスプレイの動作を示す説明図である。
【図１１】図２とは別な本発明の一実施形態におけるＩＣカードの外観（表示面側）を示す説明図である。
【図１２】図１１の一実施形態におけるＩＣカードの表示状態の外観（表示面側）を示す説明図である。
【図１３】本発明の一実施形態におけるＩＣカードの動作を示す説明図である。
【図１４】本発明の一実施形態におけるＩＣカードの駆動状態を示す説明図である。
【図１５】本発明の一実施形態におけるＩＣカードの電源供給から電源供給終了までの表示内容変更処理の説明図である。
【図１６】本発明の一実施形態における一実施状態であるクレジットカードへ利用した場合のＩＣカードの使用方法の説明図である。
【符号の説明】
１……ＩＣカード
２……ＲＯＭ
３……ＲＡＭ
４……ＣＰＵ
５……ディスプレイ
６……ディスプレイ
６ａ、６ｂ、６ｃ、６ｍ、６ｎ、６ｐ、６ｑ……表示領域
７……ドライバ
８……接続端子
９……ＩＣモジュール
１０ａ……磁気ストライプ
１０ｂ……エンボス文字領域
２１……ＩＣカードスロット
２２……リーダライタ
２３……コンピュータ
３１……接続端子
３２……外部アンテナ
３３……コイルアンテナ
３４……ＲＦ回路
４１……カード製造者
４２……クレジットカード会社
４３……カード利用者
４４……店舗
４６……表示
５１……製造
５２……インストール
１１……ディスプレイ
１１ｂ……電極フィルム
１１ｃ……画像表示層
１１ｄ……電極フィルム
１１ｆ……カラーフィルタ
１１０……マイクロカプセル
１１１……カプセル殻
１１２……分散媒
１１３……白の粒子
１１４……黒の粒子
１１５……分散媒
【図１】
2004102384.tif 000003
【図２】
2004102384.tif 000004
【図３】
2004102384.tif 000005
【図４】
2004102384.tif 000006
【図５】
2004102384.tif 000007
【図６】
2004102384.tif 000008
【図７】
2004102384.tif 000009
【図８】
2004102384.tif 000010
【図９】
2004102384.tif 000011
【図１０】
2004102384.tif 000012
【図１１】
2004102384.tif 000013
【図１２】
2004102384.tif 000014
【図１３】
2004102384.tif 000015
【図１４】
2004102384.tif 000016
【図１５】
2004102384.tif 000017
【図１６】
2004102384.tif 000018